(57)【要約】【課題】軽量化を図ることができる照明装置を提供することである。【解決手段】照明装置は、ＬＥＤを光源として表側に光を照射する光源部と光源部を支持する支持部５とを備え、埋込み用の開口が設けられた設置面に光源部と支持部５の裏側部分が埋め込まれて取り付けられ、光源部はＬＥＤユニットとヒートシンクと反射体とを備え、支持部５は、設置面の裏側に位置する裏側リング５１と、設置面の表側に位置する表側リング５５と、裏側リング５１と表側リング５５とを連結する連結具５３とを備え、ＬＥＤユニットはヒートシンクの表側に取り付けられ、ヒートシンクは裏側リング５１に取り付けられ、反射体は、裏側リング５１に対して周方向に間隔をおいて裏側リングに取り付けられている。【選択図】図９
2020074348.tif 000002
【特許請求の範囲】
【請求項１】
ＬＥＤを光源として表側に光を照射する光源部と前記光源部を支持する支持部とを備え、埋込み用の開口が設けられた設置面に前記光源部と前記支持部の裏側部分が埋め込まれて取り付けられる照明装置において、
前記光源部はＬＥＤユニットとヒートシンクと反射体とを備え、
前記支持部は、前記設置面の裏側に位置する裏側リングと、前記設置面の表側に位置する表側リングと、前記裏側リングと前記表側リングとを連結する連結具とを備え、
前記ＬＥＤユニットは前記ヒートシンクの表側に取り付けられ、
前記ヒートシンクは前記裏側リングに取り付けられ、
前記反射体は、前記裏側リングに対して周方向に間隔をおいて前記裏側リングに取り付けられている
照明装置。
【請求項２】
前記反射体は、前記裏側リングの前記周方向に間隔をおいた部位から表側に延伸する延伸片に取り付けられている
請求項１に記載の照明装置。
【請求項３】
前記反射体は、筒状の反射部と、反射部から裏側に延伸する延伸部分とを有し、
前記延伸片は前記反射体の前記延伸部分の外周側に位置する
請求項２に記載の照明装置。
【請求項４】
前記表側リングは内周の縁部に第１段差部を有し、
前記反射体は、前記反射部の表側端に形成された外鍔部分を有し、当該外鍔部分が前記第１段差部に接触しない状態で、前記裏側リングに取り付けられている
請求項３に記載の照明装置。
【請求項５】
前記裏側リングの内周径は前記反射体の外径よりも小さい
請求項１〜４の何れか１項に記載の照明装置。
【請求項６】
前記裏側リングの外周径は前記反射体の外径よりも大きい
請求項１〜５の何れか１項に記載の照明装置。
【発明の詳細な説明】
【技術分野】
【０００１】
本発明は、設置面の開口を利用して設置される照明装置に関するものである。
【背景技術】
【０００２】
天井等の設置面の開口を利用して設置される、所謂ダウンライト等の照明装置の光源としてＬＥＤが適用されている（例えば、特許文献１）。
特許文献１に記載の照明装置は、光源を有する灯体と、設置部に取り付けられ、灯体を支持する枠体とを備え、灯体は、枠体に挿入する略円柱状のヒートシンクと、灯体を枠体に支持するアーム部とを有し、枠体は、ヒートシンクが挿入される円筒状のガイド部と、中央部に開口を有しアーム部が載置される円板状の台座部とを有する。
【先行技術文献】
【特許文献】
【０００３】
【特許文献１】特開２０１４−２１６１６１号公報
【特許文献２】特開２０１４−１０７１０６号公報
【発明の概要】
【発明が解決しようとする課題】
【０００４】
しかしながら、特許文献１の照明装置では、アーム部に灯体の全荷重が作用し、アーム部を強固に設計する必要があり、全体として重量が重くなる。
本発明の目的は、上記の問題点に鑑み、軽量化を図ることができる照明装置を提供することである。
【課題を解決するための手段】
【０００５】
本発明に係る照明装置は、ＬＥＤを光源として表側に光を照射する光源部と前記光源部を支持する支持部とを備え、埋込み用の開口が設けられた設置面に前記光源部と前記支持部の裏側部分が埋め込まれて取り付けられる照明装置において、前記光源部はＬＥＤユニットとヒートシンクと反射体とを備え、前記支持部は、前記設置面の裏側に位置する裏側リングと、前記設置面の表側に位置する表側リングと、前記裏側リングと前記表側リングとを連結する連結具とを備え、前記ＬＥＤユニットは前記ヒートシンクの表側に取り付けられ、前記ヒートシンクは前記裏側リングに取り付けられ、前記反射体は、前記裏側リングに対して周方向に間隔をおいて前記裏側リングに取り付けられている。
【発明の効果】
【０００６】
本発明に係る装置本体は、裏側リングに直接ヒートシンクが取り付けられているため、ヒートシンクを裏側リングに固定するための他部材（特許文献１におけるアーム部））が不要となり、軽量化を図ることができる。
【図面の簡単な説明】
【０００７】
【図１】（ａ）は第１の実施形態に係る照明装置を裏側から見た斜視図であり、（ｂ）は第１の実施形態に係る照明装置を表側から見た斜視図である。
【図２】第１の実施形態に係る照明装置の分解斜視図である。
【図３】第１の実施形態に係る光源部の分解斜視図である。
【図４】（ａ）は第１の実施形態に係るＬＥＤユニットを表側から見た斜視図であり、（ｂ）は第１の実施形態に係るＬＥＤユニットを裏側から見た斜視図である。
【図５】（ａ）は第１の実施形態に係るヒートシンクを裏側から見た斜視図であり、（ｂ）は第１の実施形態に係るヒートシンクを表側から見た斜視図である。
【図６】（ａ）は第１の実施形態に係るカバーを表側から見た斜視図であり、（ｂ）は第１の実施形態に係るカバーを裏側から見た斜視図である。
【図７】（ａ）は第１の実施形態に係る反射体を表側から見た斜視図であり、（ｂ）は第１の実施形態に係る反射体を裏側から見た斜視図である。
【図８】第１の実施形態に係るカバーの縦断面図である。
【図９】第１の実施形態に係る支持部の分解斜視図である。
【図１０】（ａ）は第１の実施形態に係る裏側リングを裏側から見た斜視図であり、（ｂ）は第１の実施形態に係る裏側リングを表側から見た斜視図である。
【図１１】（ａ）は第１の実施形態に係るアームを外側から見た斜視図であり、（ｂ）は第１の実施形態に係るアームを内側から見た斜視図である。
【図１２】（ａ）は第１の実施形態に係る表側リングを裏側から見た斜視図であり、（ｂ）は第１の実施形態に係る表側リングの縦断面図である。
【図１３】第１の実施形態に係る弾性固定具を裏側から見た斜視図である。
【図１４】第１の実施形態に係るアームと表側リングの連結部分の拡大図であり、（ａ）は裏側であって外側から見た図であり、（ｂ）は裏側であって内側から見た図である。
【図１５】（ａ）は第２の実施形態に係る照明装置を裏側から見た斜視図であり、（ｂ）は第２の実施形態に係る反射体を裏側から見た斜視図である。
【図１６】弾性固定具の変形例を示す図である。
【発明を実施するための形態】
【０００８】
本発明の一態様に係る照明装置は、ＬＥＤを光源として表側に光を照射する光源部と前記光源部を支持する支持部とを備え、埋込み用の開口が設けられた設置面に前記光源部と前記支持部の裏側部分が埋め込まれて取り付けられる照明装置において、前記光源部はＬＥＤユニットとヒートシンクと反射体とを備え、前記支持部は、前記設置面の裏側に位置する裏側リングと、前記設置面の表側に位置する表側リングと、前記裏側リングと前記表側リングとを連結する連結具とを備え、前記ＬＥＤユニットは前記ヒートシンクの表側に取り付けられ、前記ヒートシンクは前記裏側リングに取り付けられ、前記反射体は、前記裏側リングに対して周方向に間隔をおいて前記裏側リングに取り付けられている。
一態様に係る照明装置において、前記反射体は、前記裏側リングの前記周方向に間隔をおいた部位から表側に延伸する延伸片に取り付けられている。一態様に係る照明装置において、前記反射体は、筒状の反射部と、反射部から裏側に延伸する延伸部分とを有し、前記延伸片は前記反射体の前記延伸部分の外周側に位置する。
一態様に係る照明装置において、前記表側リングは内周の縁部に第１段差部を有し、前記反射体は、前記反射部の表側端に形成された外鍔部分を有し、当該外鍔部分が前記第１段差部に接触しない状態で、前記裏側リングに取り付けられている。一態様に係る照明装置において、前記裏側リングの内周径は前記反射体の外径よりも小さい。一態様に係る照明装置において、前記裏側リングの外周径は前記反射体の外径よりも大きい。
明細書の一態様に係る照明装置は、ＬＥＤを光源として表側に光を照射する光源部と前記光源部を支持する支持部とを備え、埋込み用の開口が設けられた設置面に前記光源部と前記支持部の裏側部分が埋め込まれて取り付けられる照明装置において、前記光源部はＬＥＤユニットとヒートシンクとを少なくとも備え、前記支持部は、前記設置面の裏側に位置する裏側リングと、前記設置面の表側に位置する表側リングと、前記裏側リングと前記表側リングとを連結する連結具とを備え、前記ＬＥＤユニットは前記ヒートシンクの表側に取り付けられ、当該ヒートシンクは前記裏側リングに取り付けられている。
明細書の別態様に係る照明装置において、前記光源部は、前記ＬＥＤから出射された光を反射させる筒状の反射体を有し、前記反射体は、前記裏側リングに取り付けられている。これにより、反射体とＬＥＤユニットとが裏側リングに取り付けられ、両者の位置決めを容易に行うことができる。
【０００９】
明細書の別態様に係る照明装置において、前記ＬＥＤユニットは前記ヒートシンクの表側に取り付けられ、前記ヒートシンクにおけるＬＥＤユニット取付部と前記反射体の裏側端部との間に、前記反射体の内側と外側とを連通する空気流通経路が存在する。これによりＬＥＤユニットの温度上昇を抑制できる。
明細書の別態様に係る照明装置において、前記支持部は前記開口に固定される弾性固定具を備え、前記弾性固定具と前記表側リングとは１つの固定具により前記連結具に固定されている。これにより部品点数や加工点数を少なくでき、安価に実施できる。
明細書の別態様に係る照明装置において、前記表側リングは、裏側に板状に延伸する延伸片を周方向に間隔をおいて複数個有し、前記連結具は、前記延伸片の延伸方向及び厚み方向と直交する方向の端面と当接又は近接する端対向面と、前記延伸片の厚み方向の両主面と当接する又は近接する面対向面とを有する。これにより、延伸片の延伸方向及び厚み方向と直交する方向と、延伸片の厚み方向との両方向の位置ズレを規制できる。
明細書の別態様に係る照明装置において、前記裏側リングは２つの貫通孔を周方向に間隔をおいて複数組有し、前記連結具は、前記裏側リングと対向する対向板部と、当該対向板部であって前記２つの貫通孔の一方の貫通孔に対応して設けられた第１貫通孔と、前記対向板部であって前記２つの貫通孔の他方の貫通孔に対応して裏側に延出する凸部分とを備え、前記他方の貫通孔に前記凸部分が挿入する状態で、前記一方の貫通孔と前記第１貫通孔とを挿通する連結体により前記裏側リングと前記連結具とが連結されている。これにより一方の貫通孔の中心軸廻りに回転するのを規制しつつ、裏側リングと連結具とを連結できる。
【００１０】
＜実施形態＞
以下に本発明に係る実施形態につい、図面を参照しながら詳細に説明する。なお本実施形態は一例であり、これに限定されるものではない。
照明装置から光が出射される側を照射側又は表側とし、光が出射される側と反対側を反照射側又は裏側とする。
【００１１】
＜第１の実施形態＞
１．照明装置
主に図１から図３を用いて説明する。
照明装置１は、ＬＥＤを光源として備える光源部３と、光源部３を支持する支持部５とを備える。光源部３はＬＥＤユニット３１とヒートシンク３３とを少なくとも備える。光源部３は、ＬＥＤユニット３１及びヒートシンク３３以外に、例えば、カバー３５、反射体３７の少なくとも１つを備えてもよい。支持部５は裏側リング５１と複数本（ここでは３本である。）の連結具（以下、「アーム」という。）５３と表側リング５５とを備える。支持部５には設置面の開口を利用して設置面に固定される弾性固定具５７が設けられている。なお、照明装置１は弾性固定具５７を介して着脱自在（付け外し自在に）に設置面に取り付けられる。
光源部３のＬＥＤユニット３１はヒートシンク３３に取り付けられ、ヒートシンク３３は裏側リング５１に取り付けられる。光源部３のカバー３５はヒートシンク３３に取り付けられている。反射体３７は裏側リング５１に取り付けられている。つまり、照明装置１は光源部３を構成するほとんどの部材が支持部５の裏側リング５１に取り付けられる構造を有している。
照明装置１は設置面の裏側に配された電源装置（図示省略）から受電する。電源装置は商用電源からＬＥＤを点灯させるための電力を生成する。なお、場合によっては、以下で説明する照明装置１と電源装置とを含むものを照明装置としてもよい。
【００１２】
２．光源部
（１）ＬＥＤユニット
主に図４を用いて説明する。
ＬＥＤユニット３１は、複数個のＬＥＤ３１１と実装基板３１３とを備える。複数個のＬＥＤ３１１は実装基板３１３の表面に例えば正マトリクス状に配されている。実装基板３１３は例えば円板状をしている。ＬＥＤ３１１用の配線パターンに電気接続するコネクタ３１５が実装基板３１３の表面に設けられている。実装基板３１３は周縁部に複数種類の欠け部３１３ａ，３１３ｂ，３１３ｃ，３１３ｄを有している。欠け部３１３ａは実装基板３１３をヒートシンク３３に固定する固定具用である。ここでの固定具はねじ体７０である。欠け部３１３ｂはカバー３５とＬＥＤユニット３１（実装基板３１３）との位置決め用であり、当該欠け部３１３ｂにカバー３５の突起３５１ｃ（図６参照）が嵌る。欠け部３１３ｃには、ＬＥＤ３１１へ給電するための給電ケーブルが配置されたり、給電ケーブルを固定するためのケーブル固定具３８（図３参照）が嵌る。
【００１３】
（２）ヒートシンク
主に図５を用いて説明する。
ヒートシンク３３はベース部３３１と放熱部３３３とを有している。
【００１４】
（２−１）ベース部
ベース部３３１は板状をしている。ここでのベース部３３１は円板状をしている。ベース部３３１の裏側には放熱部３３３が存在する。ベース部３３１の表面の周縁部を除く領域がＬＥＤユニット３１の配置領域３３１ａとなっている。ベース部３３１の表面の周縁部には、ねじ穴３３１ｂ、ねじ孔３３１ｃ、欠け部３３１ｄが１個又は複数個設けられている。
ねじ穴３３１ｂはＬＥＤユニット３１及びカバー３５を固定するためのねじ体７０（図３参照）用である。ねじ孔３３１ｃは裏側リング５１とヒートシンク３３とを連結するための連結具用である。ここでの連結具はねじ体７１（図３参照）である。なお、ねじ穴３３１ｂは貫通孔であってもよい。ねじ孔３３１ｃは裏面から設けられたねじ穴（貫通していない）であってもよい。欠け部３３１ｄは外周面から中心側に凹入するように形成され、給電ケーブルやケーブル固定具３８が配される。
【００１５】
裏面の周縁部にはベース部３３１の中心側へと入り込む段差３３１ｅが設けられている。ねじ孔３３１ｃが存在する部分及びその周辺部分は表面側へ凹入する凹入領域３３１ｆ，３３１ｇとなっている。なお、ここでの凹入領域３３１ｆ，３３１ｇは、段差３３１ｅにおける表側の面と表裏方向に同じレベル（側方から見たときに面一となっている）である。
凹入領域３３１ｆ，３３１ｇは裏側から見た形状が異なる。ベース部３３１を裏側から見たときに、凹入領域３３１ｆは外周縁から中心に向かって矩形状に入り込む形状をし、凹入領域３３１ｇは外周縁から中心に向かって半楕円形状に入り込む形状をしている。なお、凹入領域３３１ｆ，３３１ｇの形状はこれに限定するものではない。
【００１６】
（２−２）放熱部
放熱部３３３は複数のフィン３３３ａ，３３３ｂ，３３３ｃを有し、全体の形状として円柱状をしている。ここでのフィン３３３ａ，３３３ｂ，３３３ｃはベース部３３１における最も裏側に位置する面から立設する状態で設けられている。フィン３３３ａ，３３３ｂ，３３３ｃは、裏側から見たときに、中心軸から径方向に長尺状に延伸し、その延伸先端が円形状をしている。放熱部３３３の中心には柱状部分３３３ｄが存在し、アース用の固定具３６を取り付けるネジ孔３３３ｅが柱状部分３３３ｄに設けられている。なお、フィン３３３ａ、フィン３３３ｂ及びフィン３３３ｃは、フィン３３３ａが中心側となるように、同心円状にこの順で配されている。
放熱部３３３は、ベース部３３１における凹入領域３３１ｆ，３３１ｇが存在する領域にはフィンを有していない。放熱部３３３におけるフィンが設けられていない部分には給電ケーブルが配される。当該給電ケーブルを収容するケーブル収容体３９がヒートシンク３３に取り付けられている。取付けには、ヒートシンク３３と裏側リング５１とを連結するねじ体７１が利用される（図３参照）。
【００１７】
（３）カバー
主に図６を用いて説明する。
カバー３５は、外周領域に位置する環状部３５１と、環状部３５１の内周縁から表側に膨らむ膨出部３５３とを有する。環状部３５１はここでは円環状をしているが、正確には周方向に連続しておらず、一部（後述のケーブル収容部３５５が存在する部位である。）が欠けている。
【００１８】
環状部３５１の裏面はＬＥＤユニット３１の実装基板３１３の表面の周縁部に当接する。環状部３５１には複数種類の欠け部３５１ａ，３５１ｂが設けられている。
欠け部３５１ａ，３５１ｂは、周縁から中心に向かって延伸し、周方向に間隔をおいて複数個（ここでは３個である。）設けられている。欠け部３５１ａは、ＬＥＤユニット３１の実装基板３１３の欠け部３１３ａに対応して設けられ、カバー３５とＬＥＤユニット３１とをヒートシンク３３に固定するねじ体７０用である。欠け部３５１ｂはＬＥＤユニット３１の実装基板３１３の欠け部３１３ｄに対応して設けられている。欠け部３５１ｂには反射体３７の補強部３７５が入り込む（図７の（ｂ）及び図８参照。）。この入り込みにより反射体３７がＬＥＤユニット３１に対して位置決めされる。
環状部３５１の裏面には裏側へ突出する突起３５１ｃを有している。突起３５１ｃは、複数個（ここでは３個である。）あり、周方向に間隔をおいて設けられている。突起３５１ｃはＬＥＤユニット３１の実装基板３１３の欠け部３１３ｂに嵌る。突起３５１ｃが欠け部３１３ｂに嵌ることによりカバー３５がＬＥＤユニット３１に対して位置決めされる。
【００１９】
カバー３５はＬＥＤユニット３１に接続される給電ケーブルが配されるケーブル収容部３５５を有している。ケーブル収容部３５５は環状部３５１の一部が欠けた部位に設けられている。ケーブル収容部３５５は、環状部３５１の欠けた部分の円周に沿って表側に張り出す張出部分３５５ａと、張出部分３５５ａの外周縁から.表側に延出してＬＥＤユニット３１の実装基板３１３の欠け部３１３ｃとヒートシンク３３の欠け部３３１ｄとに嵌合する嵌合部分３５５ｂとを有する。
膨出部３５３は球冠状（断面が円弧状をしている。）に膨らんでいる。ここでは、図６の（ａ）に示すように中央部分３５３ａとその周辺部分３５３ｂとで膨らむ曲率が異なる。
【００２０】
（４）反射体
主に図７及び図８を用いて説明する。
反射体３７はＬＥＤユニット３１から出射された光を所望の方向に反射させる反射部３７１と、反射体３７を支持部５に取り付けるための取付部３７３とを有している。
反射部３７１は中空の球帯や円筒に似た形状をしている。反射部３７１の内周面３７１ａは反射面となっている。反射部３７１は表側端に外方に張りだす外鍔３７１ｂを有している。外鍔３７１ｂにより反射部３７１表側端部の意匠性を向上させることができる。外鍔３７１ｂの外周縁は表側リング５５の段差５５１ａまで達している。これにより、反射部３７１と表側リング５５の隙間が見えにくくなり、意匠性を向上させることができる。
【００２１】
取付部３７３は、反射部３７１の表裏方向の中間部分から裏側に延出する延伸部分３７３ａと、延伸部分３７３ａに設けられた貫通孔３７３ｂを有している。ここでの延伸部分３７３ａは円筒状に延出している。貫通孔３７３ｂは支持部５の反射体支持部５１７に固定される固定具用である。具体的には、固定具はねじ体７５（図１参照）であり、ねじ体７５は支持部５の反射体支持部５１７のねじ孔５１７ｂに螺合することで固定され、貫通孔３７３ｂを挿通する（ねじ体７５は貫通孔３７３ｂに螺合していない）。貫通孔３７３ｂは、ねじ体７５のねじ部よりも大きく、反射体３７の周方向に長い長孔状をしている。
取付部３７３は裏側端面に凸部３７３ｃを１個有している。凸部３７３ｃはヒートシンク３３のベース部３３１の欠け部３３１ｄに嵌る。これにより、反射体３７がヒートシンク３３に対して位置決めされる。
【００２２】
取付部３７３の延伸部分３７３ａの内周面の直径はヒートシンク３３のベース部３３１の外周面の直径よりも大きい。これにより、反射体３７とヒートシンク３３との接触面積を少なくできる。また、取付部３７３の延伸部分３７３ａの内周面とヒートシンク３３のベース部３３１との間に隙間が存在している。この隙間は、反射体３７（取付部３７３）の内部と外部と連通し、更には支持部５の外部と連通しており、外部からの空気がヒートシンク３３のベース部３３１を空冷する空気の流通経路となっている。なお、隙間は、空気の流動を考慮すると０．５［ｍｍ］以上が好ましい。逆に、装置の大型化を考慮すると５．０［ｍｍ］以下が好ましい。ここでは、ベース部３３１の外周縁と取付部３７３の内周縁との間に径方向へ１．０［ｍｍ］の隙間がある。
反射体３７は反射部３７１と取付部３７３とを連結して取付部を補強する補強部３７５を有している。具体的には、補強部３７５は反射部３７１における取付部３７３と対向する部分の外面と取付部３７３の延伸部分３７３ａの内面とを連結する。延伸部分３７３ａの裏側端は反射部３７１の裏側端よりも裏側に位置する。このため、補強部３７５の裏側の端面は外側上がりの段差状となっている。換言すると、補強部３７５は内側が欠けた段差部分３７５ａを有している。補強部３７５は板状をし、周方向に間隔をおいて複数個（ここでは３個である。）設けられている。補強部３７５における段差部分３７５ａは、ＬＥＤユニット３１の実装基板３１３の欠け部３１３ｄとカバー３５の欠け部３５１ｂに嵌る。これにより、反射体３７がＬＥＤユニット３１及びカバー３５に対して位置決めされる。
【００２３】
３．支持部
支持部５は、図３及び図９に示すように、上述の１．照明装置で説明したように、裏側リング５１、複数個の連結具（以下、「アーム」という。）５３、表側リング５５及び弾性固定具５７を有している。
【００２４】
（１）裏側リング
主に図９及び図１０を用いて説明する。
裏側リング５１は環状部５１１を有している。裏側リング５１は、ヒートシンク３３と連結される複数個のヒートシンク連結部５１３と、アーム５３の裏側端部と連結する複数個のアーム連結部５１５と、反射体３７を支持する複数個の反射体支持部５１７を有している。
【００２５】
（１−１）環状部
環状部５１１は円環状をしている。環状部５１１は図１０の（ｂ）に示すように内周縁部が段差５１１ａとなっている。段差５１１ａは内周縁が裏側に位置する段差である。段差５１１ａはヒートシンク３３の段差３３１ｅに対応しており、ヒートシンク３３が裏側リング５１に表側から装着される際に、環状部５１１の段差５１１ａがヒートシンク３３の段差３３１ｅに嵌る。これによりヒートシンク３３が裏側リング５１に対して周方向以外の方向に位置決めされる。
環状部５１１の内周径は、ＬＥＤユニット３１（実装基板３１３）、カバー３５（環状部３５１）の外径より大きく、反射体３７の反射部３７１の外径よりも小さい。環状部５１１の外周径は反射体３７（反射部３７１）の外径よりも大きい。
【００２６】
（１−２）ヒートシンク連結部
ヒートシンク連結部５１３は、ここでは３個あり、周方向に間隔をおいて設けられている。ヒートシンク連結部５１３は環状部５１１の内周縁から環状部５１１の中心へと延伸する横延伸片５１３ａ，５１３ｂと、横延伸片５１３ａ，５１３ｂに設けられた貫通孔５１３ｃとを有する。
複数個（３個）の横延伸片のうち１個（横延伸片５１３ａである。）は裏側から見たときの形状が他の横延伸片と異なる。例えば、横延伸片５１３ａを裏側から見たときの形状は矩形状であり、横延伸片５１３ｂを裏側から見たときの形状は半楕円形状である。
矩形状の横延伸片５１３ａはヒートシンク３３の凹入領域３３１ｆに、２個の半楕円形状の横延伸片５１３ｂはヒートシンク３３の凹入領域３３１ｇにそれぞれ対応しており、ヒートシンク３３との結合時に横延伸片５１３ａ，５１３ｂはヒートシンク３３の凹入領域３３１ｆ，３３１ｇに嵌合する。
各横延伸片５１３ａ，５１３ｂの貫通孔５１３ｃはヒートシンク３３凹入領域３３１ｆ，３３１ｇのねじ穴３３１ｂやねじ孔３３１ｃに対応している。横延伸片５１３ａ，５１３ｂがヒートシンク３３の凹入領域３３１ｆ，３３１ｇに嵌合する状態で、ねじ体７１により裏側リング５１とヒートシンク３３とが結合される。
【００２７】
（１−３）アーム連結部
アーム連結部５１５は、ここでは３個あり、環状部５１１に周方向に間隔をおいて設けられている。各アーム連結部５１５は複数種類の貫通孔５１５ａ，５１５ｂ，５１５ｃを有している。なお、アーム連結部５１５は環状部５１１の外周側に設けられている。
貫通孔５１５ａはアーム５３と裏側リング５１とを連結するための連結部用である。ここでの連結に利用される連結体はねじ体７３である。貫通孔５１５ｂは貫通孔５１５ａに対して周方向に間隔をおいて形成されている。貫通孔５１５ｂには図１１に示すアーム５３の凸部分５３１ｃが挿入される。
貫通孔５１５ｃは貫通孔５１５ａに対して周方向に貫通孔５１５ｂと反対側に間隔をおいて形成されている。貫通孔５１５ｃには図１１に示すアーム５３の凸部分５３１ｄが挿入される。貫通孔５１５ｃはアーム５３が裏側リング５１に対してねじ体７３の中心軸廻りに回転するのを防止するためのものである。なお、貫通孔５１５ｃはなくてもアーム５３の回転は貫通孔５１５ｂと凸部分５３１ｃとがあれば規制される。
貫通孔５１５ｂ，５１５ｃはアーム５３の凸部分５３１ｃ，５３１ｄの横断面形状に対応してここでは矩形状をしている。貫通孔５１５ｂ，５１５ｃの形状は、矩形状以外でもよいが、アーム５３の凸部分５３１ｃ，５３１ｄの形状（ここでは矩形状である。）に対応させる方がよい。対応させることでアーム５３の裏側リング５１に対するガタ付きを小さくできる。
【００２８】
（１−４）反射体支持部
反射体支持部５１７は、ここでは３個あり、周方向に間隔をおいて設けられている。反射体支持部５１７は環状部５１１の外周縁から表側へと延伸する縦延伸片５１７ａと、縦延伸片５１７ａに設けられたねじ孔５１７ｂとを有する。
縦延伸片５１７ａは環状部５１１に対して略垂直に設けられている。縦延伸片５１７ａは反射体３７の取付部３７３の延伸部分３７３ａの外側に位置する。これにより反射体３７に対して外側から挿入する固定具（ここではねじ体７５である。）を利用できる。
縦延伸片５１７ａは、反射体３７の取付部３７３の位置に合わせて、環状部５１１において反射体支持部５１７が存在していない部分の外周縁よりも径方向に少し入った部位から表側に折り曲げられている。なお、反射体の取付部の位置によっては、反射体の支持部が存在していない部分の外周縁の外側で折り曲げて縦延伸片を構成してもよい。また、ここでの縦延伸片５１７ａは環状部５１１に対して略９０［°］に折り曲げられているが、反射体の取付部の位置に合わせて９０［°］以外の角度で折り曲げられてもよい。
縦延伸片５１７ａは板状をし、環状部５１１やヒートシンク連結部５１３の横延伸片５１３ａ，５１３ｂと同じ厚みである。
ここでのねじ孔５１７ｂはバーリング孔が採用されている。ねじ孔５１７ｂはバーリング孔に対してタップ加工してなる。これにより、反射体３７を支持するねじ体７５を反射体支持部５１７に固定でき、反射体３７にねじ孔を設けることなく、反射体３７を支持できる。
【００２９】
（２）アーム
主に図９及び図１１を用いて説明する。
アーム５３は、裏側リング５１に連結する裏側連結部５３１と、表側リング５５に連結する表側連結部５３３と、裏側連結部５３１と表側連結部５３３とを接続する接続部５３５とを有する。アーム５３は、金属板をプレス加工することで得られ、裏側連結部５３１と表側連結部５３３と接続部５３５とを一体に有する。アーム５３は、裏側連結部５３１、表側連結部５３３及び接続部５３５以外に、弾性固定具５７を取り付ける固定具取付部５３７を有している。
【００３０】
（２−１）裏側連結部
裏側連結部５３１は連結体であるねじ体７３用のねじ孔５３１ｂを有している。具体的には、裏側連結部５３１は、裏側リング５１の環状部５１１の表面と対向する対向板部分（本発明の「対向板部」の一例に相当する。）５３１ａと、対向板部分５３１ａに設けられたねじ孔５３１ｂとを有する。ねじ孔５３１ｂはバーリング孔に対してタップ加工してなる。
裏側連結部５３１は対向板部分５３１ａにおける環状部５１１の周方向に相当する方向であってねじ孔５３１ｂの両側に凸部分５３１ｃ，５３１ｄを有している。凸部分５３１ｃ，５３１ｄは金属板における対向板部分５３１ａの端に相当する部分で裏側に折り曲げられてなる。
【００３１】
凸部分５３１ｃは裏側リング５１のアーム連結部５１５の貫通孔５１５ｂに挿入される。凸部分５３１ｄは裏側リング５１のアーム連結部５１５の貫通孔５１５ｃに挿入される。凸部分５３１ｃ，５３１ｄの先端は裏側端に近づくに従って細くなる形状をしている。ここでは半円状をしている。これにより、凸部分５３１ｃ，５３１ｄの貫通孔５１５ｂ，５１５ｃへの挿入が容易となる。
凸部分５３１ｃ，５３１ｄがアーム連結部５１５の貫通孔５１５ｂ，５１５ｃに挿入する状態で、ねじ体７３が裏側からアーム連結部５１５の貫通孔５１５ａを挿通してねじ孔５３１ｂに螺合する。これにより、アーム５３が裏側リング５１に対してねじ体７３の中心軸周りに回転することなく連結される。また、対向板部分５３１ａが裏側リング５１の環状部５１１に当接して安定した状態で連結される。
【００３２】
（２−２）表側連結部
表側連結部５３３は連結具用の貫通孔５３３ａを有している。ここでの連結に利用される固定具はリベット体７７である。貫通孔５３３ａは、具体例として表裏方向に延伸する平板部５３６の表側端部に近い領域に設けられている。なお、平板部５３６は表裏方向（裏側リング５１と表側リング５５とを接続する方向である。）に長い長尺状をしている。アーム５３の長手方向（平板部５３６の長手方向と一致する。）は照明装置１の表裏方向と略一致し、アーム５３の短手方向（平板部５３６の短手方向と一致する。）は裏側リング５１や表側リング５５の周方向に略一致する。
表側連結部５３３は、後述の表側リング５５のアーム連結部５５３（縦延伸片５５３ａ）をアーム５３の短手方向の端部と当接（又は近接）する端対向部分を有している。これにより、アーム５３が表側リング５５に対して表側リング５５の周方向に回転するのを規制できる。
端対向部分は、ここでは、平板部５３６の短手方向の両側から立設する一対の側板部５３８により構成されている。側板部５３８は表側リング５５の中心に向かって立設している。
一対の側板部５３８の内面間の距離が表側リング５５の縦延伸片の周方向の寸法に対応している。側板部５３８は、アーム５３の接続部５３５に対する機械的特性を高めるリブとしても効果を有している。
【００３３】
表側連結部５３３は、後述の表側リング５５のアーム連結部５５３（縦延伸片５５３ａ）をアーム５３の厚み方向の両主面と当接（又は近接）する面対向部分を有している。これにより、アーム５３が表側リング５５に対して表側リング５５の径方向に移動するのを規制できる。
面対向部分の一方は、一対の側板部５３８の表側端であって平板部５３６側に設けられた溝部分５３３ｂを介して平板部５３６と対向する面５３３ｃである。溝部分５３３ｂには後述の表側リング５５の縦延伸片５５３ａが表側から挿入され、張出部分５５３ｄが挿入深さを規制するストッパーとなる。ここでは、側板部５３８は平板部５３６の短手方向の両端に存在し、溝部分５３３ｂも各側板部５３８に設けられている。つまり、溝部分５３３ｂは２個ある。
面対向部分の他方は平板部５３６の内面である。ここでは面対向部分の一方は、平板部５３６に形成されているリブ５３３ｄの内面である。リブ５３３ｄは内側に張り出し且つ平板部５３６の長手方向に沿って延伸する。リブ５３３ｄは貫通孔５３３ａに対して平板部５３６の短手方向の両側に設けられている。つまり、リブ５３３ｄは２個ある。リブ５３３ｄはＵ曲げやＶ曲げにより形成される。貫通孔５３３ａｂを挟んで両側に一対のリブ５３３ｄ，５３３ｄを備えることで、表側リング５５の縦延伸片５５３ａが裏側から見たときに円弧状をしていても縦延伸片５５３ａをガタツキなくアーム５３に結合できる。
【００３４】
（２−３）接続部
接続部５３５は上記の平板部５３６により構成されている。平板部５３６は裏側端（裏側リング５１が存在する側の端）で裏側連結部５３１の対向板部分５３１ａに接続する。ここでは、長尺状の金属板の一方端を折り曲げ、折り曲げられた部分が対向板部分５３１ａであり、折り曲げられていない部分が平板部５３６である。折り曲げ角度は裏側から照明装置１を見たときの裏側リング５１と表側リング５５との位置や大きさにより決定される。一例としての曲げ角度は９０［°］である。
【００３５】
（２−４）固定具取付部
固定具取付部５３７はリベット体７７用の貫通孔５３３ａを有している。具体的には、平板部５３６の外面（表側リング５５の中心が存在する側の反対側である。）の表側端（表側リング５５が存在する側の端である。）部に設けられている。貫通孔５３３ａは表側連結部５３３の貫通孔５３３ａと兼用している。つまり、リベット体７７を利用して、アーム５３と弾性固定具５７と表側リング５５とを結合させている。
固定具取付部５３７は平板部５３６の短手方向の端から外側に延伸する一対の延伸部分５３７ａ，５３７ｂを有している。一対の延伸部分５３７ａ，５３７ｂの間隔は当該部位に結合される弾性固定具５７の幅（表側リング５５の周方向と同じ方向の寸法である。）と一致している。これにより、弾性固定具５７が取り付けられた状態で、弾性固定具５７がリベット体７７の中心軸周りに回転するのを防止できる。
【００３６】
（３）表側リング
主に図９及び図１２を用いて説明する。
表側リング５５は環状部５５１を有している。表側リング５５はアーム５３の端部と連結する複数個のアーム連結部５５３を有している。
【００３７】
（３−１）環状部
環状部５５１は円環状をしている。環状部５５１の内周縁部は段差５５１ａとなっている。段差５５１ａは内周縁が裏側に位置する段差である。段差５５１ａには反射体３７の反射部３７１の外鍔３７１ｂが位置する。これにより意匠性を向上させることができる。なお、段差５５１ａは反射部３７１の外鍔３７１ｂと接触しないように構成されている。これにより、ヒートシンク３３から裏側リング５１及びアーム５３を経由して表側リンｇ５５に伝わった熱が反射体３７に伝わるのを抑制できる。
環状部５５１の外周縁部は裏側へと湾曲された湾曲部分５５１ｂとなっている。これにより設置面との隙間が目立つのを抑制できる。
【００３８】
（３−２）アーム連結部
アーム連結部５５３は、ここでは３個あり、周方向に間隔をおいて設けられている。アーム連結部５５３は裏側へ延伸する縦延伸片（本発明の「延伸片」の一例に相当する。）５５３ａと、縦延伸片５５３ａに設けられた貫通孔５５３ｂとを有する。
アーム連結部５５３は、縦延伸片５５３ａと環状部５５１との間に筒部分５５３ｃを有してもよい。つまり、複数個（例えば３個）の縦延伸片５５３ａは筒部分５５３ｃの周方向に間隔をおいた裏側端から裏側に延伸している。
縦延伸片５５３ａの裏側端（裏側リング５１が存在する側の端である。）部分の周方向の寸法はアーム５３の一対の側板部５３８の内面間の距離に対応している。つまり、縦延伸片５５３ａの裏側端部分の側面（縦延伸片５５３ａの延伸方向及び厚み方向と直交する方向の端面であり、本発明の「端対向面」の一例に相当する。）は、図１４の（ｂ）に示すように、一対の側板部５３８の内面に当接する。
【００３９】
アーム連結部５５３は縦延伸片５５３ａにおける延伸方向の中間から周方向に張り出す張出部分５５３ｄを有している。ここではアーム連結部５５３は張出部分５５３ｄを一対有している。張出部分５５３ｄはアーム５３の側板部５３８の表側端に存在する溝部分５３３ｂに表側から挿入される。このとき、アーム連結部５５３の縦延伸片５５３ａの外面がアーム５３の一対のリブ５３３ｄにより支持される。なお、縦延伸片５５３ａにおける張出部分５５３ｄと筒部分５５３ｃとの間は縦延伸片５５３ａにおける裏側部分よりも延伸方向と直交する方向の寸法が小さくなっている（くびれている）。
【００４０】
（４）弾性固定具
主に図９及び図１３を用いて説明する。
弾性固定具５７は例えば板ばねを利用して構成される。弾性固定具５７は例えば「Ｖ」字や「Ｌ」字に近い形状をする板ばね部５７１と、板ばね部５７１の一端から裏側へと延伸してアーム５３に取り付けられるアーム取付部５７３とを有する。
アーム取付部５７３は表裏方向に延伸する平板部分５７３ａと貫通孔５７３ｂとを有する。貫通孔５７３ｂはリベット体７７用である。平板部分５７３ａの短手方向の寸法（幅）はアーム５３の一対の延伸部分５３７ａ，５３７ｂ間の内面間の距離に等しい。平板部分５７３ａには表裏方向に延伸する一対のリブ５７３ｃが設けられている。
【００４１】
＜第２の実施形態＞
図１５を用いて説明する。
第２の実施形態に係る照明装置１Ａは、第１の実施形態に係る照明装置１と比較して、アームと反射体が異なる。このため、第２の実施形態に係る照明装置１Ａについてアーム５３Ａと反射体３７Ａとについて主に説明し、それ以外の構成については第１の実施形態で説明した構成の符号をそのまま使用し説明を省略する。
照明装置１Ａは、ＬＥＤ３１１を光源として備える光源部３Ａと、アーム５３Ａを含む支持部５Ａとを備える。光源部３ＡはＬＥＤユニット３１とヒートシンク３３とを少なくとも備えるが、ここではカバー３５や反射体３７Ａを備える。
反射体３７Ａは、反射部３７１Ａと、反射体３７Ａを支持部５Ａに取り付けるための取付部３７３Ａとを有している。
反射部３７１Ａは中空の球帯や円筒に似た形状をしている。反射部３７１Ａの内周面３７１Ａａは反射面となっている。反射部３７１Ａは表側端に外方に張り出す外鍔３７１Ａｂを有している。反射部３７１Ａは裏側端に内方へ張り出す内鍔３７１Ａｃを有している。
【００４２】
取付部３７３Ａは、反射部３７１Ａの内鍔３７１Ａｃの張り出し元(反射部３７１Ａの裏側端である。）から裏側に延伸する延伸部分３７３Ａａと、延伸部分３７３Ａａに設けられた貫通孔３７３Ａｂとを有している。ここでの延伸部分３７３Ａａは板状に延出している。
貫通孔３７３Ａｂは支持部５Ａの反射体支持部５１７に固定される固定具用である。貫通孔３７３Ａｂは、ねじ体７５のねじ部よりも大きく、反射体３７Ａの周方向に長い長孔状をしている。
反射体３７Ａは反射部３７１Ａの内鍔３７１Ａｃの張り出し元から裏側に延伸する延伸部分３７４Ａと、延伸部分３７４Ａに設けられた凸部３７３Ａｃとを有している。凸部３７３Ａｃはヒートシンク３３のベース部３３１の欠け部３３１ｄに嵌る。
【００４３】
反射体３７Ａは反射部３７１Ａの内鍔３７１Ａｃから裏側に延伸する延伸部分３７６Ａを周方向に間隔をおいて複数個（ここでは３個である。）有している。これによりヒートシンク３３と反射部３７１Ａとの接触面積を少なくできる。
【００４４】
＜変形例＞
以上、実施形態に係る照明装置を説明したが、この実施形態に限られるものではなく、例えば、以下のような変形例であってもよい。また、実施形態と変形例、変形例同士を組み合わせたものであってよい。
また、実施形態や変形例に記載していない例や、要旨を逸脱しない範囲の設計変更があっても本発明に含まれる。
【００４５】
１．光源部
（１）ＬＥＤユニット
ＬＥＤユニットを構成する実装基板は円形状に限定するものではなく、例えば、三角形状、四角形状等の多角形状であってもよい。ＬＥＤユニットを構成する複数個のＬＥＤは正マトリクス状に配置されているが、行数と列数とが異なるマトリクス状に配置されてもよいし、同心円状に配置されてもよいし、中心を同じとする多重の多角環状に配置されてもよい。
【００４６】
（２）ヒートシンク
第１の実施形態のヒートシンク３３はベース部３３１の裏面側が裏側リング５１に取り付けられていたが、ＬＥＤユニットが配される領域を有する面が裏側リングに取り付けられてもよいし、板状のベース部の端面が裏側リングに取り付けられてもよい。
【００４７】
（３）反射体
第１の実施形態及び第２の実施形態での反射体３７，３７Ａはヒートシンク３３や支持部５，５Ａとの接触が少なくなるように裏側リング５１に取り付けられている。これにより例えば耐熱性の低い樹脂材料により反射体を構成することもできる。また、ヒートシンクと反射体との接触を少なくすることで、ヒートシンクと反射体との間に生じる隙間に空気が流れ、ヒートシンクの放熱性を向上させることができる。また、ヒートシンクと反射体との接触を少なくすることで、点灯中のヒートシンクと反射体との熱膨張の差が原因となって発生する反射体の熱変形を考慮する必要がなくなる。
熱伝導性の高い材料により反射体を構成する場合、積極的にヒートシンクと反射体との接触面積を広くしてもよい。これにより、反射体への熱伝導が多くなり、光源部の放熱性を高めることができる。
第１の実施形態の反射体３７はねじ体７５で支持されている（ねじ体のねじ部と螺合していない）が、例えば、ねじ体やリベット体により固定されてもよい。つまり、反射体の裏側リングへの取り付けには、ねじ体、ピン体等や係合手段で支持される場合や、ねじ体やリベット体で固定される場合を含む。
【００４８】
２．支持部
（１）裏側リング
第１の実施形態の裏側リング５１は円形状をしていたが、例えば他の形状の環状（リング状）であってもよい。他の形状としては、三角形等の多角形、楕円形状、長円形等がある。
第１の実施形態におけるヒートシンク連結部５１３の横延伸片５１３ａ，５１３ｂは環状部５１１から板状に延伸しているが、例えば、周方向に連続して延伸して全体として環状をしてもよい。
第１の実施形態における反射体支持部５１７の縦延伸片５１７ａは環状部５１１から板状に延伸しているが、例えば、周方向に連続して延伸して全体として筒状をしてもよい。
【００４９】
（２）連結具
第１の実施形態の連結具（アーム）５３は、複数本であれば、３本に限定するものではない。３本以上あると、表側リングと裏側リングとを安定した状態で連結できる。これにより、表側リングと裏側リングとを複数本の連結部により連結することで軽量化できる。また、ヒートシンク周辺で空気の流動が生じやすくできる。
連結具（アーム）５３の端対向部分は一対の側板部５３８の対向面で構成されていたが、側板部の対向面に設けられた島状の突部分であってもよいし、表リングの延伸片（縦延伸片）の延伸方向に連続するリブであってもよい。
連結部（アーム）５３の面対向部分は、平板部５３６のリブ５３３ｄと、側板部５３８の溝部分５３３ｂを介して平板部５３６と対向する面５３３ｃとで構成されていたが、互いに対向する部分を有していればよく、リブや溝を利用しなくてもよい。例えば、リブの代わりに平板部の面をそのまま利用してもよい。溝を利用した対向面の代わりに側板部から表リングの延伸片（縦延伸片）の延伸方向と厚み方向とに直交する方向の内側に延伸する延伸片（係止片）を利用してもよい。
【００５０】
（３）表側リング
第１の実施形態の表側リング５５は設置面の開口形状に合わせて円形状をしていたが、例えば、開口形状が円形以外の他の形状をしている場合、表側リングの形状も他の形状に合わせてもよい。
表側リングは、開口形状に合わせた形状をしているが、開口縁を隠せる形状であればよく、例えば、開口形状が円形状の場合、外周形状が四角形状等の多角形をした環状であってもよい。なお、内周形状も円形状に限定するものでなく、また、外周形状と異なってもよい。
【００５１】
（４）弾性固定具
第１の実施形態の弾性固定具５７は板ばね部５７１を有していたが、他の方式で照明装置の開口からの落下を防止してもよい。他の方式としては、例えば、図１６に示すようにつめ方式であってもよい。
つめ方式は、引掛けつめ体５１７Ｂがアーム５３Ｂの挿入孔５３Ｂａから表側に延伸する縦溝５３Ｂｂに挿入されて構成される。引掛けつめ体５１７Ｂは板ばね５１７Ｂａの弾性力を利用して設置面の開口周辺に係止する。
３．照明装置
照明装置が開口を利用して固定される設置面は、例えば天井であってもよいし、壁であってもよい。
【符号の説明】
【００５２】
１    照明装置
３    光源部
５    支持部
３１    ＬＥＤユニット
３３    ヒートシンク
３５    カバー
３７    反射体
５１    裏側リング
５３    アーム（連結具）
５５    表側リング
【図１】
2020074348.tif 000003
【図２】
2020074348.tif 000004
【図３】
2020074348.tif 000005
【図４】
2020074348.tif 000006
【図５】
2020074348.tif 000007
【図６】
2020074348.tif 000008
【図７】
2020074348.tif 000009
【図８】
2020074348.tif 000010
【図９】
2020074348.tif 000011
【図１０】
2020074348.tif 000012
【図１１】
2020074348.tif 000013
【図１２】
2020074348.tif 000014
【図１３】
2020074348.tif 000015
【図１４】
2020074348.tif 000016
【図１５】
2020074348.tif 000017
【図１６】
2020074348.tif 000018